(57)【特許請求の範囲】
【請求項１】
平型柔軟ケーブルに設けられたプラグコネクタと、回路基板に実装されたリセプタクルコネクタとを含み、
前記プラグコネクタは、平型柔軟ケーブルと金属製シェルプレートとを貼り合わせた部分の加工によって形成された接続片を備え、
前記リセプタクルコネクタは、前記接続片を受け入れる受容部が形成されたハウジングと、前記受容部内に配置されて前記接続片に接触する端子と、前記ハウジングの両端部に装着されて前記回路基板にハウジングを固定するための補強金具とを備え、
前記補強金具には、前記接続片に係合してその接続片と前記端子の接触状態を保持するロック片が設けられ、
このロック片は、ロック片自体の弾性により前記平型柔軟ケーブルの長さ方向に変位可能に構成され、
前記接続片に凹部が、また前記ロック片に前記凹部に嵌り込む凸部が、それぞれ設けられ、
前記接続片は、前記平型柔軟ケーブルから切り起こされ、各接続片の対向する面に前記導体露出部が形成された露出片と、前記シェルプレートから切り起こされ、前記露出部と反対側の面を支持する支持片と、を備え、この支持片の外面に前記凹部が設けられている、平型柔軟ケーブル用コネクタ。
【請求項２】
前記接続片は、平型柔軟ケーブルの長手方向に間隔をおいて配置された互いに対向する二つの接続片を備え、各接続片の対向する面に平型柔軟ケーブルの導体露出部が位置している、請求項１記載の平型柔軟ケーブル用コネクタ。
【請求項３】
前記露出片と支持片とが接着剤により貼り合わされ、前記支持片の先端が前記露出片の先端よりも部分的又は全体でリセプタクルコネクタ側へ突出している、請求項１又は２に記載の平型柔軟ケーブル用コネクタ。
【請求項４】
前記端子には、前記導体露出部に接触する隆起部が設けられ、その隆起部と前記ロック片の凸部とが、前記受容部に対する接続片の挿入方向に相対変位した位置に設定されている、請求項１〜３の何れかに記載の平型柔軟ケーブル用コネクタ。
【請求項５】
前記補強金具は、前記プラグコネクタのリセプタクルコネクタに対する位置決め機能を有する逆Ｕ形状に湾曲した本体部を有し、その本体部の相対する二片の一方から前記ロック片が延び、他方の片がハウジングから突出して前記回路基板に半田付けされている、請求項１〜４の何れかに記載の平型柔軟ケーブル用コネクタ。
【請求項６】
前記支持片の先端には、前記露出片の先端よりもリセプタクルコネクタ側へ突出する端部突出部が設けられ、この端部突出部が、コネクタ結合時に前記ロック片に接触して接地されるように設定されている、請求項１〜５の何れかに記載の平型柔軟ケーブル用コネクタ。
【発明の詳細な説明】
【０００１】
【発明の属する技術分野】
本発明は、平型柔軟ケーブル（ＦＰＣ、ＦＦＣなどと呼ばれているものを含む。以下、単にＦＰＣという。）を、例えばプリント回路基板などの他の機材に接続する技術として有効な平型柔軟ケーブル用コネクタに関する。
【０００２】
【従来の技術】
従来、ＦＰＣとプリント回路基板を接続する方法として、次の方法が知られている。ＦＰＣの接続端部をプラグコネクタに接続する一方、プリント回路基板上にリセプタクルコネクタを実装し、プラグコネクタとリセプタクルコネクタを互いに嵌合（接続）する方法。例えば、特開平８−２０３６２６号公報参照。
【０００３】
別の方法として、プリント回路基板上にコネクタを実装し、ＦＰＣの接続端部に露出させた導体をプリント回路基板上のコネクタのコンタクトに押し付けるようにして電気的に接続する方法も知られている。
【０００４】
プラグコネクタとリセプタクルコネクタを使用する接続方法は、ＦＰＣを接続するプラグコネクタが必要であることから、製造コストを増大させると共に、プリント回路基板上に実装するリセプタクルコネクタの小型化が困難で、実装面積を小さくすることに限界がある問題点があった。
【０００５】
また、プリント回路基板上に実装したコネクタのコンタクトにＦＰＣの導電部自体を直接押し付けるようにした方法では、次のような問題点があった。プリント回路基板やコネクタ自体に反りなどが生じたときに、ＦＰＣの接続端部がコンタクトから浮き上がるために、全ての極で信頼性の高い接続を確保することが難しい問題である。この問題は、特に、極数が多い場合に顕著となる。
【０００６】
この点、特開平１１−１１１４０１号公報には、プリント回路基板などの機材上で占有面積を小さくできると共に、接続の信頼性を確保でき、製造コストも低減できるように工夫した接続技術が提案されている。
【０００７】
これは、次のような考え方を採用している。ＦＰＣの接続端部内にスリットを形成することにより、ＦＰＣの導体露出部分を接続端部の一側に折り曲げて一対の接続片を形成する。この両接続片間にバックアップ材（補強材）を装着してその両接続片を内側から保持すると共に、バックアップ材をテープによってＦＰＣに固定して、ＦＰＣ側のコネクタを構成する。そして、このコネクタの接続片を差し込む嵌合部を有する相手コネクタをプリント回路基板側に設けることで、両者を電気的に接続するものである。
【０００８】
【発明が解決しようとする課題】
このように、改善された既存の技術においても、次の点で、さらに解決すべき課題があった。
第１に、占有面積を可能な限り小さくするために必要な小型化、薄型化に関してである。ＦＰＣ側のコネクタを相手コネクタに挿入して結合した状態では、通常、抜け止めのためのロック手段を必要とする。しかし、このロック手段は、コネクタの小型化、薄型化を図る際の大きな妨げとなる。
【０００９】
例えば、特許第３０７９４６３号公報に記載のように、コネクタの両側に設けてあるロック金具部分が占める割合は大きく、それ以上の小型化や薄型化を図り難い問題がある。また、実開平４−９１０７１号公報に記載のように、回路基板に実装されるリセプタクルコネクタの補強金具にも、ロック金具と同様な問題がある。特に、ロック金具と補強金具の両方を設ける場合には、そうした問題が顕著になる。
【００１０】
第２に、小型化、薄型化により端子ピッチが小さくなったコネクタにロック金具を設けた場合、ロック金具の可動範囲内で接点脱落や極間ショートの危険性が生じる点である。これは、特に、ロック金具が端子のピッチ方向に変位する場合に生じやすい。
【００１１】
第３に、従来のコネクタは、リセプタクルコネクタに対するプラグコネクタの結合時の衝撃やこじりの力が直接的に補強金具の半田付け部に伝わりやすい。そのため、半田クラックや剥離が生じる恐れがあった。
【００１２】
本発明の課題は、プリント回路基板などの機材上で占有面積を可能な限り小さくできると共に、製作性を向上させて製造コストの低減を図ることができ、ロック片の可動方向に工夫することで、接点脱落や極間ショートの危険性を防止し、補強金具への衝撃緩和機能も付加した平型柔軟ケーブル用コネクタの技術を提供することにある。
【００１３】
【課題を解決するための手段】
本発明に係る平型柔軟ケーブル用コネクタは、平型柔軟ケーブルに設けられたプラグコネクタと、回路基板に実装されたリセプタクルコネクタとを備える。プラグコネクタは、平型柔軟ケーブルと金属製シェルプレートとを貼り合わせた部分の加工によって形成された接続片を備える。リセプタクルコネクタは、接続片を受け入れる受容部が形成されたハウジングと、受容部内に配置されて接続片に接触する端子と、ハウジングの両端部に装着されて回路基板にハウジングを固定するための補強金具とを備える。補強金具には、接続片に係合してその接続片と端子の接触状態を保持するロック片が設けられている。
【００１４】
本発明によれば、補強金具にロック片を設けてあるので、補強金具とロック金具を一つにして、部品点数の削減、リセプタクルコネクタの小型化、薄型化を図ることができる。これにより、プリント回路基板などの機材上で占有面積を可能な限り小さくできると共に、製作性を向上させて製造コストの低減を図ることができる。また、補強金具への衝撃緩和機能も付加した平型柔軟ケーブル用コネクタの技術を提供することにある。
【００１５】
前記接続片は、平型柔軟ケーブルの長手方向に間隔をおいて配置された互いに対向する二つの接続片を備え、各接続片の対向する面に平型柔軟ケーブルの導体露出部が位置していることが望ましい。導体露出部を、両接続片の対向する面（内側）に位置させることで、両支持片は外側に位置する形態となる。その結果、両露出片間にシェルプレートが存在しないので、露出片間の間隔（コネクタの幅）を可能な限り小さくすることができる。従って、この点からも全体の小型化を図りやすい構造となる。
【００１６】
前記ロック片は、ロック片自体の弾性により平型柔軟ケーブルの長さ方向に変位可能に構成されていることが望ましい。ロック片を平型柔軟ケーブルの長さ方向に変位させることで、即ち、端子のピッチ方向と直交する方向に変位するようにロック片の可動方向を工夫することで、接点脱落や極間ショートの危険性を防止することができる。
【００１７】
前記接続片に凹部が設けられ、ロック片には、接続片の凹部に嵌り込む凸部が設けられていることが望ましい。このようにすれば、凹凸嵌合によってロック機能を発揮させることができ、しかも簡易な構成とすることができる。
【００１８】
前記接続片は、平型柔軟ケーブルから切り起こされ、各接続片の対向する面に導体露出部が形成された露出片と、シェルプレートから切り起こされ、導体露出部と反対側の面を支持する支持片とを備え、その支持片の外面に凹部が設けられていることが望ましい。平型柔軟ケーブルとシェルプレートのラミネート材から支持片を形成することで、必要な強度を確保しつつ、全体の小型化、薄型化を図りやすい構造となる。凸部が嵌り込む凹部は金属製となる支持片に設けてあるので、凹凸嵌合による摩耗に対して耐久性を発揮する。
【００１９】
前記露出片と支持片とが接着剤により貼り合わされ、支持片の先端が露出片の先端よりもリセプタクルコネクタ側へ突出していることが望ましい。このように、露出片よりも支持片を長く突出させることで、露出片の先端を支持片の先端で保護することができる。
【００２０】
前記端子には、導体露出部に接触する隆起部が設けられ、その隆起部とロック片の凸部とが、受容部に対する接続片の挿入方向に相対変位した位置に設定されていることが望ましい。このように設定することで、隆起部と凸部の位置関係が接続片の挿入方向に位置ずれした関係になる。従って、端子の隆起部が露出片に接触するタイミングと、凸部が支持片に接触するタイミングとがずれる。その結果、コネクタ結合時に接続片を受容部へ挿入するときの抵抗、及び抜き出すときの抵抗を軽減することができる。即ち、確実な接続機能及びロック機能を発揮させつつ、操作性を高めることが可能になる。
【００２１】
前記補強金具は、プラグコネクタのリセプタクルコネクタに対する位置決め機能を有する逆Ｕ形状に湾曲した本体部を有し、その本体部の相対する二片の一方から前記ロック片が延び、他方の片がハウジングから突出して回路基板に半田付けされている構成とすることが望ましい。このようにした場合、他方の片が回路基板に半田付けされ、フリーとなった一方の片からロック片が延びるので、逆Ｕ形状の本体部に弾性変形しやすい部分が形成される。この逆Ｕ形状の本体部はロック片からの衝撃を緩和し、半田付け部にクラックや剥離を生じさせないように機能する。
【００２２】
前記支持片の先端には、露出片の先端よりもリセプタクルコネクタ側へ突出する端部突出部が設けられ、この端部突出部が、コネクタ結合時にロック片に接触して接地されるように設定されていることが望ましい。このように、支持片の先端の端部突出部を露出片の先端よりもリセプタクルコネクタ側へ突出させた場合、コネクタ結合時に支持片とロック片を最初に接触させると共に、接地されたロック片と電気的に導通させることができる。したがって、この関係を、金属同士の接触による耐久性向上、および、コネクタの静電気対策に利用することができる。
【００２３】
【発明の実施の形態】
以下、本発明を図面に示す実施の形態に基づいて説明する。図１は平型柔軟ケーブルに設けたプラグコネクタの平面図である。図２及び図３はプラグコネクタの断面図、図４はリセプタクルコネクタの断面図、図５はリセプタクルコネクタの平面図である。図６はリセプタクルコネクタの断面図である。なお、この実施の形態では、本発明をＦＰＣとプリント回路基板とを接続するコネクタに適用した例を示している。
【００２４】
これらの図において、１がＦＰＣであり、２がプリント回路基板である。ＦＰＣ１には、簡易型のプラグコネクタ１０が形成されている。プリント回路基板２には、プラグコネクタ１０が接続されるリセプタクルコネクタ２０が実装されている。プラグコネクタ１０とリセプタクルコネクタ２０とによって、本発明に係る平型柔軟ケーブル用コネクタＣＮが構成される（図７および図８参照）。
【００２５】
このプラグコネクタ１０は、ＦＰＣ１と金属製シェルプレート３とを貼り合わせた部分の加工によって形成した接続片１１を備えている（図３および図７参照）。この接続片１１は、相手コネクタ（リセプタクルコネクタ）２０の受容部２１に挿入される部分であり、電気的に接続するための機能を有する。
【００２６】
接続片１１は、ＦＰＣ１から切り起こされ、片面に導体露出部１２ａが形成された露出片１２と、シェルプレート３から切り起こされ、露出片１１の片面と反対側の面を支持する支持片１３とで構成されている。ＦＰＣ１とシェルプレート３は接着剤（図示せず）を介して貼り合わされている。従って、露出片１２と支持片１３も接着剤を介して貼り合わされ、一体化されている。接着剤には、コネクタの耐熱性に配慮して、例えば熱硬化型接着剤が用いられている。
【００２７】
接続片１１の高さは、ＦＰＣ１の厚さや大きさにもよるが、この実施の形態では１ｍｍ前後に設定されている。ＦＰＣ１の厚さは、図７から理解できるように相当に薄く、柔軟性に優れている。従って、ＦＰＣ１からの露出片１２だけを切り起こしても自立させるのが困難である。そのために、シェルプレート３には、露出片１２を支持するための支持片１３が設けられている。従って、この支持片１３はＦＰＣ１に剛性を与えるための補強機能を有する。
【００２８】
プラグコネクタ１０の接続片１１は、ＦＰＣ１の長手方向に間隔をおいて二片配置されている。従って、プラグコネクタ１０は、互いに対向する二つの接続片１１，１１を備えている。そして、両接続片１１，１１の対向する面に導体露出部１２ａ、１２ａが位置している。この導体露出部１２ａは、図７に示すように、ＦＰＣ１の片面を覆う絶縁被覆１ａの一部を除去して導体１ｂを露出させたものである。勿論、ＦＰＣ１の製造時に予め導体露出部１２ａを形成しておくこともできるので、製作性に配慮してこの方法を採用することが好ましい。
【００２９】
支持片１３の、露出片１２と貼り合わされる面には、露出片１２の先端部分を支持片１３側へ傾斜させてテーパ面１２ｂを形成するための斜面１３ｂが形成されている。また、支持片１３の突出寸法は、露出片１２の突出寸法よりも長くなるように設定されている。この図７に示す例では、斜面１３ｂはＶ形状の溝の一部によって形成され、その溝内に露出片１２の先端が嵌り込むように形成されている。これにより、露出片１２の先端は支持片１３の先端から突出しないように設計されている。
【００３０】
支持片１３の両側部（ＦＰＣの幅方向に対応）には、その両側部のみをリセプタクルコネクタ２０への挿入方向に突出させた端部突出部１３ｃ、１３ｃが形成されている。この端部突出部１３ｃ、１３ｃは後述する静電気対策機能に加えて、リセプタクルコネクタ２０に対するプラグコネクタ１０の挿入ガイド機能も発揮する。
【００３１】
なお、実施の形態では、図１に示すように、ＦＰＣ１の長さ方向の途中（端部近く）に、幅方向に広げた拡張領域１ｃが形成されている。これは、ＦＰＣ１の導体本数に関係する配線密度が高いために、各導体１ｂ間の間隔及び導体１ｂ自体の幅を広げられるように配慮したものである。これにより、接続の信頼性や製作性を高めている。
【００３２】
回路基板２に実装されたリセプタクルコネクタ２０は、接続片１１を受け入れる受容部２１が形成されたハウジング２２と、受容部２１内に配置されて接続片１１に接触する端子２３と、ハウジング２２の両端部に装着されて回路基板２にハウジング２２を固定するための補強金具２４とを備えている。そして、補強金具２４には、接続片１１に係合してその接続片１１と端子２３の接触状態を保持するロック片２５が設けられている。
【００３３】
ハウジング２２は、図５及び図６に示すように、平面ほぼ長方形で、１ｍｍ前後の高さに形成されている。ハウジング２２の中央部分には、仕切り２２ａが設けられ、その仕切り２２の両側に溝状の受容部２１、２１が形成されている。そして、各受容部２１、２１に沿って多数の端子２３が配列（２列に配列）されると共に、受容部２１、２１内に、各端子２３のコンタクト片２３ｂが起立状態で配列されている。
【００３４】
各端子２３の固定部２３ｃはハウジング２２の端子装着溝内に嵌め込まれている。また、各端子２３には、その固定部２３ｃの部分から下方に延びるソルダーテール２３ｄが設けられ、回路基板２に半田付けされている。
【００３５】
ハウジング２２の両端側には、ロック片２５付きの補強金具２４を装着するための溝部２１ａ、２１ａが形成されている。この溝部２１ａ、２１ａは受容部２１、２１に連続して一つの溝状部分を形成しいる。従って、この溝状部分は全体として、平面長方形の枠状に形成されている。
【００３６】
補強金具２４は、図５、図６及び図１０（ａ）、（ｂ）、（ｃ）に示すように、逆Ｕ形状に湾曲した本体部２４ａを有している。本体部２４ａは、プラグコネクタ１０のリセプタクルコネクタ２０に対する位置決め機能も兼ねている。本体部２４ａの位置決め機能は、主としてプラグコネクタ１０の長さ方向（ＦＰＣ１の幅方向に対応）を位置決めするように設定している。
【００３７】
本体部２４ａの相対する二片の一方の片２４ｂからロック片２５が延び、他方の片２４ｃがハウジングから突出して回路基板２に半田付けされている。他方の片２４ｃは一方の片２４ｂよりも長く、その端部がソルダーテール２４ｄとして形成されている。
【００３８】
ロック片２５は、ロック片２５自体の弾性によりＦＰＣ１の長さ方向に変位可能に構成されている。このように、ロック片２５の変位方向（可動方向）を工夫することで、ロック時（コネクタ結合時）の位置ずれによる接点脱落や極間ショートの危険性を防止できるように配慮している。このロック片２５の変位方向であるＦＰＣ１の長さ方向は、端子２３の配列ピッチ方向と直交する方向に対応している。
【００３９】
ロック片２５の変位方向を、端子２３の配列ピッチ方向と直交する方向とすることで、ロック片２５の作動時に、端子２３と接続片１１との接触状態に影響を及ぼさないようにすることができるからである。仮に、ロック片２５の変位方向を、端子２３の配列ピッチ方向とした場合について検討してみる。
【００４０】
ロック片２５の作動時（変位時）には、プラグコネクタ１０をＦＰＣ１の幅方向に移動させようとする力が作用する。この力は端子２３のピッチ方向となるため、端子２３と接続片１１との正常な接触状態を極間ショートする方向に位置ずれさせる力となるからである。
【００４１】
なお、プラグコネクタ１０の接続片１１に凹部（円形穴）１３ｈが設けられ、ロック片２５には、接続片１１の凹部１３ｈに嵌り込む凸部２５ａが設けられている。これにより、接続片１１のロック機構が構成されている。このように、凹凸嵌合によってロック機能を発揮させる簡易な構成としている。
【００４２】
凹部１３ｈは、支持片１１の外面に設けられている。凸部２５ａが嵌り込む凹部１３ｈは金属製となる支持片１３に設けることで、凹凸嵌合による摩耗に対して耐久性を発揮できるようにしている。
【００４３】
この実施の形態では、図示のように、露出片１２と支持片１３とが接着剤により貼り合わされ、支持片１３の先端の端部突出部１３ｃ、１３ｃが露出片１２の先端よりもリセプタクルコネクタ２０側へ突出している。支持片１３の端部突出部１３ｃ、１３ｃを露出片１２の先端よりもリセプタクルコネクタ２０側へ突出させることで、コネクタ結合時に支持片１３とロック片２５を最初に接触させられるようにしている。この関係を、金属同士の接触による耐久性向上、及び、コネクタの静電気対策に利用することができる。
【００４４】
端子２３には、導体露出部１２ａに接触する隆起部２３ａが設けられている。隆起部２３ａとロック片２５の凸部２５ａとは、受容部２１に対する接続片１１の挿入方向に相対変位した位置に設定されている。このように設定することで、隆起部２３ａと凸部２５ａの位置関係が接続片１１の挿入方向に位置ずれした関係になる。
【００４５】
従って、端子２３の隆起部２３ａが露出片１２に接触するタイミングと、凸部２５ａが支持片１３に接触するタイミングとがずれる。その結果、コネクタ結合時に接続片１１を受容部２１へ挿入するときの抵抗、及び抜き出すときの抵抗を軽減することができる。即ち、確実な接続機能およびロック機能を発揮させつつ、操作性を高めることが可能になる。
【００４６】
この実施の形態によれば、補強金具２４にロック片２５を設けてあるので、補強金具２４とロック金具を一つにして、部品点数の削減、リセプタクルコネクタ２０の小型化、薄型化を図ることができる。これにより、プリント回路基板２などの機材上で占有面積を可能な限り小さくできると共に、製作性を向上させて製造コストの低減を図ることができる。さらに、補強金具２４への衝撃緩和機能も付加した平型柔軟ケーブル用コネクタの技術を得ることができる。この補強金具２４の衝撃緩和機能については、断面Ｕ形状の本体部２４ａ部分の弾性と、そこから延びるロック片２５の弾性の相乗作用により生じるので、極めて効果的に発揮される。
【００４７】
なお、リセプタクルコネクタ２０への接続片１１は、ＦＰＣ１とシェルプレート３とを貼り合わせた部分の加工によって形成され、露出片１２と支持片１３とが接着剤を介して一体化されている。従って、このプラグコネクタ１０は、いわゆる二層のラミネート材料（ＦＰＣとシェルプレート３）により作られる形態となる。その結果、複数の別部品を組み付けて構成する従来のコネクタよりも小型化、薄型化を図ることができる。
【００４８】
また、支持片１３の先端の端部突出部１３ｃ、１３ｃを露出片１２の先端よりも突出させることで、支持片１３の先端が最初にリセプタクルコネクタ２０に接触するので、この関係を静電気対策に利用することができる。即ち、支持片１３を形成したシェルプレート３を接地する回路構成とすることで、ＦＰＣ１やプリント回路基板２の帯電に対する静電気処理対策とすることができる。
【００４９】
【発明の効果】
以上のように、本発明によれば、プリント回路基板などの機材上で占有面積を可能な限り小さくできると共に、製作性を向上させて製造コストの低減を図ることができ、ロック片の可動方向に工夫することで、接点脱落や極間ショートの危険性を防止し、補強金具への衝撃緩和機能も付加した平型柔軟ケーブル用コネクタの技術を提供することができる。
【図面の簡単な説明】
【図１】本発明の実施の形態に係るプラグコネクタの平面図である。
【図２】図１のＸ−Ｘ線に沿った断面図である。
【図３】図１のＹ−Ｙ線に沿った断面図である。
【図４】本発明の実施の形態に係るリセプタクルコネクタの断面図である。
【図５】本発明の実施の形態に係るリセプタクルコネクタの平面図である。
【図６】本発明の実施の形態に係るリセプタクルコネクタの断面図である。
【図７】本発明の実施の形態に係るプラグコネクタとリセプタクルコネクタからなる平型柔軟ケーブル用コネクタの断面図である。
【図８】本発明の実施の形態に係るプラグコネクタとリセプタクルコネクタとを結合させた平型柔軟ケーブル用コネクタの断面図である。
【図９】図５のＺ−Ｚ線に沿った拡大断面図である。
【図１０】本発明の実施の形態に係るロック片付き補強金具を示すもので、（ａ）は正面図、（ｂ）は平面図、（ｃ）は側面図である。
【符号の説明】
１  平型柔軟ケーブル（ＦＰＣ）
１ａ  絶縁被覆
１ｂ  導体
１ｃ  拡張領域
２  プリント回路基板
３  シェルプレート
３ａ  圧肉部
１０  プラグコネクタ
１１  接続片
１２  露出片
１２ａ  導体露出部
１２ｂ  テーパ面
１３  支持片
１３ｂ  斜面
１３ｃ  端部突出部
２０  リセプタクルコネクタ（相手側コネクタ）
２１  受容部
２１ａ  溝部
２２  ハウジング
２２ａ  仕切り
２３  端子
２３ａ  隆起部
２３ｂ  コンタクト片
２３ｃ  固定部
２３ｄ  ソルダーテール
２４  補強金具
２４ａ  本体部
２４ｂ  一方の片
２４ｃ  他方の片
２４ｄ  ソルダーテール
２５  ロック片
２５ａ  凸部
ＣＮ  平型柔軟ケーブル用コネクタ
【図１】
0004070988.tif 000002
【図２】
0004070988.tif 000003
【図３】
0004070988.tif 000004
【図４】
0004070988.tif 000005
【図５】
0004070988.tif 000006
【図６】
0004070988.tif 000007
【図７】
0004070988.tif 000008
【図８】
0004070988.tif 000009
【図９】
0004070988.tif 000010
【図１０】
0004070988.tif 000011